(57)【要約】【課題】  殺菌効果を向上させ、コストを削減することが可能な水槽用の殺菌ランプ装置を提供する。【解決手段】  流入孔２１、流出孔２２を有する蓋部２０、防水紫外線ＰＬランプ３０、流路ボックス４０と間隔板５０を備える。蓋部２０は最上面に電線２５を収納する貫通孔２３を有する。防水紫外線ＰＬランプ３０は、最上端が防水ボックス２４により被覆される。防水ボックス２４は電線２５に接続される灯座３１と、灯座３１に装着され互いに平行して末端が繋がる二つの副ランプ３２とを有する。間隔板５０は副ランプ３２の間に位置付けされる。流路ボックス４０は、矩形の箱体で、最上端が蓋部２０に接合され、外側面に若干の吸盤４２を有し、副ランプ３２を収納する。副ランプ３２と流路ボックス４０の底面の間に適当な距離を置くことで、流路ボックスの中に流入孔２１から流出孔２２へ流れるＵ形の流道４３が形成される。【選択図】    図１
0003109858.tif 000002
【実用新案登録請求の範囲】
【請求項１】
一側に流入孔、他側に流出孔を有する蓋部と、
電線に接続され防水ボックスにより被覆される燈座、及び灯座の一側に装着され互いに平行して末端が繋がる二つの副ランプを有する防水紫外線ＰＬランプと、
蓋部に接合されＰＬランプの二つの副ランプを収納する流路ボックスと、
ＰＬランプの二つの副ランプの間に位置付けされ、二つの副ランプの長軸方向に対応する細長い形状を呈し、その二つの長い側辺が流路ボックス内の壁面に接合される間隔板と、
を備えることを特徴とする水槽用の殺菌ランプ装置。
【請求項２】
蓋部の流入孔のあたりには、刃状の間隔薄片を数個有することを特徴とする請求項１に記載の水槽用の殺菌ランプ装置。
【請求項３】
流路ボックス内の壁面には、反射層を有することを特徴とする請求項１に記載の水槽用の殺菌ランプ装置。
【請求項４】
反射層は、反射板により構成可能であることを特徴とする請求項３に記載の水槽用の殺菌ランプ装置。
【請求項５】
反射層は、めっき膜により構成可能であることを特徴とする請求項３に記載の水槽用の殺菌ランプ装置。
【請求項６】
流路ボックスは、間隔板の二つの長い側辺に対応し、かつ向かい合う二つの反射層に互いに平行する凹状の槽を有することを特徴とする請求項３に記載の水槽用の殺菌ランプ装置。
【請求項７】
流路ボックスは、側辺に沿い延伸される通路ボックスを有し、蓋部は通路ボックスと流路ボックスの上に接合され、送気ホースは通路ボックスの蓋部を貫通して蓋部に部分的に突出し、長いホースは通路ボックス内に位置付けされ、最上端は流出孔に連接され、導管は、最上端が蓋部内の送気ホースに連接され、その底端に細分化装置を有し、かつ導管と細分化装置は長いホース内に位置付けされることを特徴とする請求項１に記載の水槽用の殺菌ランプ装置。
【考案の詳細な説明】
【技術分野】
【０００１】
本考案は、水槽用具に関し、特に水槽用の殺菌ランプ装置に関する。
【背景技術】
【０００２】
近年、紫外線殺菌ランプは浄水設備の装置に広範に使用されるようになっている。日常生活の飲用水装置をはじめ、水槽など養殖用の水の浄化にまで適用されている。その原理は、紫外線によりタンパク質、藻類、浮遊生物などの物質または生物を破壊し、養殖用の水の富栄養化を緩和することである。周知の殺菌ランプ装置は、流道の中に軸方向に沿う細長い殺菌ランプが装着され、養殖用の水が殺菌ランプに沿い流道を通過するものである。図５に示すように周知の紫外線殺菌ランプ装置１０１は、細長い殺菌ランプ１０２と水槽の水を通過させるためのらせん状の細長い板部１０３を備え、細長い板部１３０により殺菌ランプ１２０をらせん状で取り巻くことで、殺菌ランプの紫外線により水槽の殺菌処理をする時間を延長し、殺菌効果を向上させることが可能である。
【考案の開示】
【考案が解決しようとする課題】
【０００３】
しかしながら、上述の殺菌ランプ装置１０１は、細長い板部１０３により殺菌ランプ１０２をらせん状で取り巻くため、全体の体積が一般の殺菌ランプ装置より比較的大きく、水槽の外側に装着しなければならず、且つ装着するにはほかのユニットを使用することが必要であるため、手間がかかって適用性が比較的低く、また構造が複雑で、部品が多いため、コストが高いという欠点がある。
【０００４】
図６は、上述の欠点に鑑みて考案した水槽用の殺菌ランプ装置２０１を示す。ＰＬ紫外線殺菌ランプ２０２と水槽の水を通過させるための流路ボックス２０３を備え、そのうちの流路ボックス２０３の本体に流入孔２０４と流出孔２０５を有するものであるため、殺菌ランプ装置２０１により、ＰＬ紫外線ランプ２０２に沿う細長いＵ形の流道を形成し、照射時間を延長し、殺菌効果を向上させて前述の周知の欠点を改善することが可能であった。かつそのコストが比較的低いだけではなく、その構造がさらに簡易化していて、体積が比較的小さいため、水槽の内または外に装着して使用することも可能であった。このたび、本考案者は、さらに前述の技術に対して改良を加えるために、本考案を提出する。
【０００５】
したがって本考案の目的は、殺菌効果を向上させ、コストを削減することが可能な水槽用の殺菌ランプ装置を提供することにある。
【課題を解決するための手段】
【０００６】
上述の目的を達成するために本考案の請求項に記載の水槽用の殺菌ランプ装置は蓋部、防水紫外線ＰＬランプ、流路ボックスと間隔板を備える。蓋部は一側に流入孔、他側に流出孔を有する。防水紫外線ＰＬランプは電線に接続され、かつ防水ボックスにより被覆される燈座と、灯座の一側に装着され、かつ互いに平行して末端が繋がる二つの副ランプとを有する。流路ボックスは蓋部に接合され、かつＰＬランプの二つの副ランプを収納するものである。間隔板はＰＬランプの二つの副ランプの間に位置付けされ、かつ二つの副ランプの長軸方向に対応する細長い形状を呈し、その二つの長い側辺が流路ボックス内の壁面に接合される。
【０００７】
上述の構造により、殺菌ランプ装置によりＰＬ紫外線ランプに沿う細長いＵ形の流道が形成されるため、照射時間を延長し、殺菌効果を向上させることが可能である。かつその構造が簡易化していて、体積が比較的小さいため、装着しやすくなり、コスト削減という長所がある。
【考案を実施するための最良の形態】
【０００８】
以下、本考案の実施例を図面に基づいて説明する。
図１は本考案の第一実施例による水槽用の殺菌ランプ装置を示す立体分解図である。
図２は本考案の第一実施例の縦方向に沿う断面図である。
図３は本考案の第二実施例の縦方向に沿う断面図である。
図４は本考案の第二実施例による水槽用の殺菌ランプ装置を示す立体図形である。
【０００９】
図１と図２に示すように、本考案の第一実施例による水槽用の殺菌ランプ装置１０は蓋部２０、防水紫外線ＰＬランプ３０、流路ボックス４０と間隔板５０を備える。
蓋部２０は、一側に水を流したり出したりするための流入孔２１、他側に流出孔２２を有する。蓋部２０は最上面に貫通孔２３を有することで、防水ボックス２４の最上面の穿孔２７を貫通して外部に露出する電線２５を収納するものである。
【００１０】
防水紫外線ＰＬランプ３０は、最上端が防水ボックス２４により被覆される。防水ボックス２４は内部に防水材質２６（例えばシリコン）が充満し、密集状態を呈するため、ＰＬランプ３０の燈座３１と水を完全に離隔することが可能である。かつ防水ボックス２４は最上面に穿孔２７を有し、電線２５に接続される灯座と、灯座３１の一側に装着されかつ互いに平行して末端が繋がる二つの副ランプ３２とを有する。間隔板５０はＰＬランプの二つの副ランプ３２の間に位置付けされ、かつ二つの副ランプ３２の長軸方向に対応する細長い形状を呈し、その二つの長い側辺が流路ボックス４０内の壁面の凹状の槽４１に接合される。
【００１１】
流路ボックス４０は、縦が比較的長い矩形の箱体から構成され、最上端が蓋部２０に接合される開口端で、その外側面（図中の背面側）に若干の吸盤４２を有し、かつＰＬランプ３０の二つの副ランプ３２を収納するものである。二つの副ランプ３２と流路ボックス４０の底面の間に適当な距離を置くことで、流路ボックスの中に蓋部２０の流入孔２１から蓋部２０の流出孔２２へ流れるＵ形の流道４３が形成される。流路ボックス４０前後の向かい合う内側壁には反射板４４を有し、かつ間隔板５０の二つの長い側辺に対応してかつ向かい合う二つの反射板４４には互いに平行する凹状の槽４１を有する。二つの凹状の槽４１は間隔板５０の長い側辺を接合するための嵌合槽である。
【００１２】
以上は、本考案の第一実施例による水槽用の殺菌ランプ装置１０のユニットとその配置関係についての説明である。本実施例の使用方法は、蓋部２０の側壁の流入孔２１により水槽の養殖用の水を吸い込むための水中モーター５１と連接することで、水が流入孔２１から流路ボックス４０内のＵ形の流道４３に流れ込み、防水紫外線ＰＬランプ３０の紫外線による殺菌処理を経過した後、蓋体２０の他側のる流出孔２２から水槽に戻ることである。
【００１３】
間隔板５０が流路ボックス４０の中央に形成されるＵ形の流道４３に装着されることで、水をＰＬランプ３０の二つの副ランプ３２の外周側に沿って流動させると同時に、Ｕ形の流道の水にＰＬランプの紫外線を持続的に照射することが可能である。したがって、本考案は水が直接細長い紫外線ランプを経過する周知のものと比べて、さらに照射時間を延長し、かつ流路ボックス４０に反射板４４が増設されるため、殺菌効果を向上させ、また防水ボックス２４が密集状態を呈するため、殺菌ランプ装置１０を直接水中に沈ませて水槽内の壁面に装着することが可能である。まとめてみると、本実施例は構造が簡易化していて、体積が比較的小さく、装着しやすいだけではなく、周知の殺菌ランプ装置と比べて細長い紫外線ランプを経過するルートを延長するＵ形の流道を有するため、照射時間が延長され、かつ反射板が増設されるため、照射強度が増強されるとともに、コストの削減を達成する。
【００１４】
図３と図４に示すように、本考案の第二実施例による殺菌ランプ装置６０は、右半分が上述の実施例とほぼ同じである。相違点は、以下の通りである。流路ボックス７０は側辺に沿い延伸される通路ボックス８０を有する。蓋部９０は通路ボックス８０と流路ボックス７０の上に接合され、送気ホース９１が通路ボックス８０の蓋部９０を貫通して蓋部９０に部分的に突出し、かつ蓋部９０に突出する送気ホース９１の最上端が送気装置９３に連接される。長いホース８１が通路ボックス８０内に位置付けされ、長いホース８１の最上端が流出孔９２に連接される。導管８２の最上端が蓋部９０内の送気ホース９１に連接される。導管８２の底端に細孔が充満している細分化装置８３を有し、かつ導管８２と細分化装置８３が長いホース８１内に位置付けされる。
【００１５】
通路ボックス８０は、中央にその最上端により流路ボックス７０に接合される間隔薄片８４を有し、間隔薄片８４の最上端と通路ボックス８０の間に距離を置くことで、流路ボックス７０と通路ボックス８０の間を回る逆Ｕ形の副流道８５が形成される。通路ボックス８０は、前述の長いホース８１、導管８２と細分化装置８３を収納するものである。
【００１６】
本実施例の使用方法は、殺菌ランプ装置６０全体を水槽に沈ませることで（吸盤により内壁面に付着可能）、水が蓋部９０の流入孔９４の刃状の間隔薄片９５を経過し、水中の油膜が破壊されるとともに、浄水効果を増加する。続いてＰＬランプ９６に電気を通し、送気装置９３を起動することで、送気装置９３からの気体が通路ボックス８０の送気ホース９１を経由して通路ボックス８０内の導管８２に流れ込むとともに、導管８２底端の細分化装置８３に微細な気泡が持続的に発生し、浮き上がる力により水流を押し上げ、流出孔９２からボックスの外に流出する。通路ボックス８０の水を流出孔９２へ流動させ（そして水槽に戻らせ）、かつ流路ボックス７０のＵ形の流道７１内の水が通路ボックス８０を補給するため流動することで、水がとどまらず流入孔９４から流れ込み、最後流出孔９２を流出するとともに、流路ボックス７０と通路ボックス８０から水の循環通路を形成する。
【００１７】
したがって、本実施例による水槽用の殺菌用ランプ装置は構造が簡易化していて、体積が比較的小さく、装着しやすいだけではなく、水が流入孔の刃状の間隔薄片を経過し、水中の油膜が破壊されることで、浄水効果を増加することが可能である。更に気体の流れ込みに伴い、導管底端の細分化装置に微細な気泡が持続的に発生することで、水中の酸素含有量を増加することも可能である。
【００１８】
上述の説明をまとめてみると、本考案の実施による水槽用の殺菌ランプ装置は、周知のものより優れている特徴を持つため、実用性と進歩性がそろっているだけではなく、本考案により掲示される構造が公開使用されたか、文献に掲示されたことがないため、実用新案登録請求の条件を満たすと考えられる。
【図面の簡単な説明】
【００１９】
【図１】本考案の第一実施例による水槽用の殺菌ランプ装置を示す立体分解図である。
【図２】本考案の第一実施例による水槽用の殺菌ランプ装置の縦方向に沿う断面図である。
【図３】本考案の第二実施例による水槽用の殺菌ランプ装置の縦方向に沿う断面図である。
【図４】本考案の第二実施例による水槽用の殺菌ランプ装置を示す立体図である。
【図５】周知の紫外線殺菌ランプ装置の縦方向に沿う断面図である。
【図６】周知の水槽用殺菌ランプ示す立体分解図である。
【符号の説明】
【００２０】
１０  殺菌ランプ、２０  蓋部、２１  流入孔、２２  流出孔、２３  貫通孔、２４  防水ボックス、２５  電線、２６  防水材質、２７  穿孔、３０  ＰＬランプ、３１  灯座、３２  副ランプ、４０  流路ボックス、４１  凹状の槽、４２  吸盤、４３  Ｕ形の流道、４４  反射板、５０  間隔板、５１  水中モーター、６０  殺菌ランプ装置、８０  通路ボックス、８１  細長いホース、８２  導管、８３  細分化装置、８４  間隔薄片、８５  逆Ｕ形の副流道、９０  蓋部、９１  送気ホース、９２  流出孔、９３  送気装置、９４  流入孔、９５  刃状の間隔薄片、９６  ＰＬランプ
【図１】
0003109858.tif 000003
【図２】
0003109858.tif 000004
【図３】
0003109858.tif 000005
【図４】
0003109858.tif 000006
【図５】
0003109858.tif 000007
【図６】
0003109858.tif 000008